(57)【特許請求の範囲】
【請求項１】
位置判定装置であって、
プロセッサと、
メモリと、
複数の衛星からの信号データの受信を可能にするグローバルポジショニング衛星（ＧＰＳ）受信機と、
前記メモリ内に記憶され、前記プロセッサ上で実行可能な１若しくはそれ以上のモジュールであって、
前記位置判定装置のモードを切り替えるために、対応する取付装置への接続を監視し、
前記位置判定装置が前記対応する取付装置から取外されたことを検出すると、それに応答してナビゲーションモードから電話モードに切り替えることにより、携帯電話機能を提供する前記電話モードを、前記位置判定装置のためにアクティブとして選択し、
前記位置判定装置が前記対応する取付装置に接続されたことを検出すると、それに応答して前記電話モードから前記ナビゲーションモードに切り替えることにより、前記ＧＰＳ受信機を介して受信した前記信号データを用いてナビゲーション指示を出力する前記ナビゲーションモードを、前記位置判定装置のためにアクティブとして選択するものである
前記モジュールとを有し、
前記位置判定装置は、前記ナビゲーションモードが選択された時に、前記取り付け装置を介して外部電源に連結するものである、
位置判定装置。
【請求項２】
請求項１記載の位置判定装置において、前記位置判定装置の前記対応する取付装置への接続は、前記位置判定装置と前記対応する取付装置のインターフェースとの電気的接触を前記１若しくはそれ以上のモジュールで検出することにより監視されるものである。
【請求項３】
請求項２記載の位置判定装置において、電話モードおよびナビゲーションモードの前記選択は、前記電気的接触の前記検出に基づいて、自動的に、ユーザによる介入なしに行われるものである。
【請求項４】
請求項１記載の位置判定装置において、電話モードがアクティブとして選択された時に、電話モードに対応するアプリケーションが前記プロセッサ上で実行され、前記携帯電話機能を提供するための対応するユーザインターフェースが出力されるものである。
【請求項５】
請求項１記載の位置判定装置において、ナビゲーションモードがアクティブとして選択された時に、ナビゲーションモードに対応するアプリケーションが前記プロセッサ上で実行され、前記ナビゲーション指示を提供するための対応するユーザインターフェースが出力されるものである。
【請求項６】
請求項１記載の位置判定装置において、
前記１若しくはそれ以上のモジュールは、前記携帯電話機能を提供する前記電話モードに対応する電話モジュールと、前記ナビゲーション指示を含む位置判定機能を提供する前記ナビゲーションモードに対応する位置判定モジュールとを含み、
前記電話モードをアクティブとして選択する工程は、前記電話モジュールをアクティブ状態で実行する工程と、前記位置判定モジュールをバックグラウンド状態で実行する工程とを含み、
前記ナビゲーションモードをアクティブとして選択する工程は、前記電話モジュールおよび前記位置判定モジュールの状態を切替えて、前記電話モジュールが前記バックグラウンド状態で実行され、前記位置判定モジュールを前記アクティブ状態で実行されるようにする工程を含む
ものである。
【請求項７】
コンピュータ読取り可能命令を記憶する１若しくはそれ以上のコンピュータ読取り可能媒体であって、前記命令は、電子装置により実行された時に、前記電子装置が、
前記電子装置の複数の動作モード間で前記電子装置のアクティブモードを自動的に切替えるために、前記電子装置の対応する取付装置への接続を監視し、
前記電子装置が前記対応する取付装置に接続されたことを検出すると、それに応答して第２の動作モードから第１の動作モードに切り替えることにより、位置判定機能を提供する前記第１の動作モードを、前記電子装置のためにアクティブとして選択し、
前記電子装置が前記対応する取付装置から取外されたことを検出すると、それに応答して前記第１の動作モードから前記第２の動作モードに切り替えることにより、異なる機能と関連づけられた前記第２の動作モードを、前記電子装置のためにアクティブとして選択するようにさせるものであり、
前記電子装置は、前記第１の動作モードが選択された時に、前記取り付け装置を介して外部電源に連結するものである、
コンピュータ読取り可能媒体。
【請求項８】
請求項７記載のコンピュータ読取り可能媒体において、前記第２の動作モードは、
携帯電話ネットワークを介して電話サービスを提供するように構成された電話モードと、
１若しくはそれ以上のゲームとの相互作用を提供するゲームモードと、
ビデオおよびオーディオメディアを管理および再生するメディアモードと、
ブラウザを実行してインターネットコンテンツ上を移動するように構成されたインターネットモードと
から成るグループから選択されるものである。
【発明の詳細な説明】
【背景技術】
【０００１】
携帯電話、位置判定装置、オーディオプレーヤー、メディアプレーヤーなどの携帯型電子装置の人気がますます増大している。従来的に、電子装置は、例えば、電話サービスに限定された携帯電話、音楽の再生に限定されたオーディオプレーヤーなどの単一機能装置として構成されていた。
【０００２】
携帯型電子装置の人気が増すにつれ、メーカーは、単一装置の複数のモードで複数の機能を提供する多機能装置を開発することで対応してきた。しかし、従来の携帯型電子装置を用いる場合、異なる機能およびモード間で相互作用して切替えをするためには、ユーザは異なる機能に関連づけられた異なるモードを手動で選択する必要があった。
例えば、異なる機能またはモード間で切替えをするために、ユーザは手でスイッチを操作したり、装置上で実行している１つのアプリケーションを手動で閉じて、装置上で実行する別のアプリケーションを選択しなければならない。このように、従来の携帯型電子装置の機能およびモード間で切替えをするナビゲーションは時間がかかり、ユーザによる相当な介入が必要であるため、これはユーザにとって苛立ちの種となり、ユーザ経験から気を取られる元であった。
この出願の発明に関連する先行技術文献情報としては、以下のものがある（国際出願日以降国際段階で引用された文献及び他国に国内移行した際に引用された文献を含む）。
【先行技術文献】  
【特許文献】
【０００３】
【特許文献１】  米国特許第６３３０１４９号明細書
【特許文献２】  米国特許出願公開第２００５／０１７０８０３号明細書
【特許文献３】  米国特許出願公開第２００７／００３８３６４号明細書
【特許文献４】  韓国公開特許第１０−２００４−００５１２０２号公報
【発明の概要】
【課題を解決するための手段】
【０００４】
自動装置モード切替え技術の説明をする。一実施形態において、電子装置は、電子装置の複数のモードにより、種々の機能を提供する。電子装置は、対応する取付装置に挿入したり、これから取外した時に、モード間で順に切替わる（トグルする）ように構成される。一実施形態においては、電子装置を取付装置に挿入した時に、１つの動作モードが自動的に有効になる。電子装置を取付装置から取外すと、別の動作モードが自動的に有効になる。別の実施形態においては、電子装置の複数のモードを装置の複数の方向と関連づけることができる。方向検出装置は、方向を示す信号を出し、この信号は、検出された時、関連づけられた動作モードを自動的に有効にする。
【０００５】
本概要は、詳細な説明および図面で詳しく説明した対象物を紹介するためでのみ提供している。従って、概要は、絶対的な特徴を説明するものであるとして、或いは特許請求の範囲を定めるために用いているものとして考慮されるものではない。
【図面の簡単な説明】
【０００６】
添付図面を参照しながら、詳細な説明を行う。図面において、参照符号の最も左側の桁は、その参照符号が初出した図面を同定する。説明および図面において、別の箇所で同一の参照符号を用いている場合、同様または同一な対象物を示す。
【図１】図１は、自動装置モード切替え技術を用いることができる環境の一実施例を示す図である。
【図２】図２は、図１の環境における電子装置の一実施例をより詳しく示す図である。
【図３】図３は、電子装置を対応する取付装置に挿入したり、これから取外すことにより、電子装置の動作モードがトグルされる手順の一実施例を示す流れ図である。
【図４】図４は、図３に示した自動装置モード切替え手順の一実施例を示す図である。
【図５】図５は、装置の方向の判定に基づいて電子装置の動作モードを有効にする手順の一実施例を示す流れ図である。
【図６】図６は、図５に示した自動装置モード切替え手順の一実施例を示す図である。
【発明を実施するための形態】
【０００７】
概要
携帯型電子装置の人気が増すにつれ、製造メーカーは、単一装置の複数のモードで複数の機能を提供する多機能装置を開発することで対応している。従来、これらの装置でモードを切替えるには時間がかかり、ユーザによる相当な介入が必要であった。例えば、異なる機能またはモード間で切替えをするために、ユーザは手でスイッチを操作したり、装置上で実行している１つのアプリケーションを手動で閉じて、装置上で実行する別のアプリケーションを選択しなければならない。モードを切替えるこの相互作用は、特にユーザが「移動中」、例えば、自動車を運転中、ハイキング中などの場合に、ユーザにとって相当な苛立ちの種にもなる。
【０００８】
従って、自動装置モード切替え技術の説明をする。一実施形態において、電子装置は、電子装置の複数のモードにより、種々の機能を提供する。電子装置は、対応する取付装置に挿入したり、これから取外した時に、モード間でトグルするように構成される。例えば、電子装置を取付装置に挿入した時に、１つの動作モードが自動的に有効になる。電子装置を取付装置から取外すと、別の動作モードが自動的に有効になる。別の実施形態においては、電子装置の複数の異なるモードを装置の複数の方向と関連づけることができる。方向検出装置は、方向を示す信号を出す。信号により装置の方向が検出されると、関連づけられた動作モードが自動的に有効になる。
【０００９】
以下に、自動装置モード切替え技術を実行する環境、および実行するように動作可能な装置の実施例をまず説明する。次いで、その環境および装置の実施例で用いることができる手順の実施例を、その趣旨および範囲から逸脱しない限りでそれ以外の他の環境および装置で用いることができる手順の実施例と共に説明する
【実施例１】
【００１０】
環境の実施例
図１は、自動装置モード切替え技術を用いることができる環境１００の一実施例を示す図である。図示した実施例において、環境１００は電子装置１０２を含む。電子装置１０２は、電子装置１０２の様々なアプリケーションモジュールおよび動作モードにより、種々の機能を提供するように構成することができる。種々の機能を提供するのに適した種々の電子装置１０２が考えられる。例えば、電子装置１０２は、携帯電話、位置判定装置、携帯型コンピュータ、携帯情報端末（ｐｅｒｓｏｎａｌ  ｄｉｇｉｔａｌ  ａｓｓｉｓｔａｎｔ：ＰＤＡ）、マルチメディア装置、ゲーム装置、および／またはその組合せを含む（これに限定されるものではないが）装置として構成することができる。以下の説明において、電子装置１０２など、言及した要素は、１若しくはそれ以上の構成要素について言及しており、従って、約束事として、同一の参照符号を用いて、単一の要素（例えば、"ｔｈｅ  ｅｌｅｃｔｒｏｎｉｃ  ｄｅｖｉｃｅ  １０２"）を指す場合もあれば、複数の要素（例えば、"ｔｈｅ  ｅｌｅｃｔｒｏｎｉｃ  ｄｅｖｉｃｅｓ  １０２"、"ｔｈｅ  ｐｌｕｒａｌｉｔｙ  ｏｆ  ｅｌｅｃｔｒｏｎｉｃ  ｄｅｖｉｃｅｓ  １０２"など）を指す場合もある。
【００１１】
一実施形態において、電子装置１０２は位置判定機能を含む。例えば、電子装置１０２は、ＧＰＳ衛星１０８から信号データ１０６を受信する機能を代表するグローバルポジショニングシステム（Ｇｌｏｂａｌ  Ｐｏｓｉｔｉｏｎｉｎｇ  Ｓｙｓｔｅｍ：ＧＰＳ）受信機１０４を含むものとして図示されている。電子装置１０２はまた、異なる装置（部品／周辺機器）間で、および／または１若しくはそれ以上のネットワーク１１２上で、電子装置１０２がデータを送受信できるようにする通信機能を代表する通信モジュール１１０を含む。通信モジュール１１０は、１若しくはそれ以上のアンテナ、ブラウザ、トランスミッタおよび／または受信機、無線装置、データポート、ソフトウェアインターフェースおよびドライバ、ネットワーキングインターフェース、データ処理部品、などを含む（これに限定されるものではないが）種々の通信部品および機能を代表するものである。
【００１２】
１若しくはそれ以上のネットワーク１１２は、環境１００の各要素間での通信のために個々に、または組合わせて用いることができる、種々の異なる通信経路およびネットワーク接続を代表するものである。このように、１若しくはそれ以上のネットワーク１１２は、単一のネットワークまたは複数のネットワークを用いて実現する通信経路を表わすことができる。さらに、１若しくはそれ以上のネットワーク１１２は、インターネット、イントラネット、衛星ネットワーク、セルラーネットワーク、モバイルデータネットワーク、有線および／またはワイヤレス接続などを含む（これに限定されるものではないが）、考えられる様々な異なる種類のネットワークおよび接続を代表するものである。
【００１３】
ワイヤレスネットワークの例は、８０２．１１または８０２．１６（Ｗｉ−Ｍａｘ）規格のようなＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）の１若しくはそれ以上の規格、Ｗｉ−Ｆｉ  Ａｌｌｉａｎｃｅが公表しているＷｉ−Ｆｉ規格、Ｂｌｕｅｔｏｏｔｈ  Ｓｐｅｃｉａｌ  Ｉｎｔｅｒｅｓｔ  Ｇｒｏｕｐが公表しているＢｌｕｅｔｏｏｔｈ（登録商標）などに従って通信用に構成されたネットワークを含む（これに限定されるものではないが）。ユニバーサルシリアルバス（ｕｎｉｖｅｒｓａｌ  ｓｅｒｉａｌ  ｂｕｓ：ＵＳＢ）、イーサネット（登録商標）、シリアル接続などを介する有線通信も考えられる。
【００１４】
例えば、電子装置１０２は、通信モジュール１１０で代表する機能により、１若しくはそれ以上のネットワーク１１２経由で携帯電話プロバイダ１１４およびインターネットプロバイダ１１６と通信し、各々、電話サービス１１８および様々なコンテンツ１２０を受けるように構成することができる。コンテンツ１２０は、種々のコンテンツを代表するものであり、その例は、ウェブページ、サービス、音楽、ビデオ、電子メールサービス、インスタントメッセージなどを含む（これに限定されるものではないが）。
【００１５】
言及したように、電子装置１０２は、位置を判定するように構成することができる。特に、電子装置１０２は、ＧＰＳ受信機１０４を介してＧＰＳ衛星１０８から受信した信号データ１０６を管理・処理できる位置判定モジュール１２２を含むことができる。例えば、電子装置１０２は、１若しくはそれ以上の位置データプラットフォームおよび／または位置データトランスミッタ（その例は、ＧＰＳ衛星１０８として図示してある）により送信された信号データ１０６を受信することができる。位置判定モジュール１２２は、受信された信号データ１０６の処理によって地理的位置を判定するように動作可能な機能を代表するものである。信号データ１０６は、例えばタイミング信号、レンジング信号、エフェメリデス（ｅｐｈｅｍｅｒｉｄｅｓ、詳細な衛星軌道データ）、アルマナック（ａｌｍａｎａｃｓ、概略の衛星軌道データ）など、位置判定に用いるのに好適な様々なデータを含むことができる位置判定モジュール１２２はまた、位置のマップ表示、速度および距離の追跡、ナビゲーション指示の提供、トリップデータの提供など、その他の様々な位置判定機能を提供するように構成することができる。このように、位置モジュール１２２は、様々な位置判定機能を提供するために、ＧＰＳ衛星１０８からの信号データ１０６を管理・処理することができるが、その詳しい説明を、図２に関して行う。
【００１６】
図１に関してＧＰＳシステムを説明・図示したが、地上システム（例えば、セルラータワーから位置データをブロードキャストするワイヤレス電話ベースのシステム）、位置信号を送信するワイヤレスネットワークなど、他の広範な種類の位置システムを用いることが可能なことが明らかであろう。例えば、位置判定機能は、サーバベースアーキテクチャでサーバを用いて、地上インフラストラクチャから、１若しくはそれ以上のセンサ（例えば、ジャイロ、オドメータ、および磁力計）により、推測航法（ｄｅａｄ−ｒｅｃｋｏｎｉｎｇ）技術を使用して、などの実施ができる。
【００１７】
本明細書で説明した自動装置モード切替え技術によると、電子装置１０２はまた、モードマネージャモジュール１２４を含むものとして図示してある。モードマネージャモジュール１２４は、様々な入力に応答して電子装置１０２の複数の動作モードをトグル、選択、有効化、およびその他の形で管理する機能を代表するものである例えば、動作モードは、電子装置１０２を対応する取付装置に挿入したり、これから取外すことにより、有効になり、またはトグルされるが、その詳しい説明を、図３〜図４に関して行う。別の実施例において、動作モードは、例えば方向、運動、速度、衝撃など、電子装置１０２の操作が行われたことを検出した時に、有効になり、またはトグルされる。電子装置１０２の操作検出に基づくモード切替えの詳しい説明を、図５〜図６に関して行う。様々なその他の実施例も考えられる。
【００１８】
動作モードは、様々なハードウェア、ソフトウェア、およびその組合せにより電子装置１０２が提供する種々の独特の機能を表わす。例えば、１つの動作モードは、ＧＰＳ受信機１０４および位置判定モジュール１２２により提供される位置判定機能（例えば、ナビゲーション）に対応する。別の動作モードは、携帯電話ネットワーク（例えばネットワーク１１２）および通信モジュール１１０を介して提供される電話サービス１１８に対応する。さらに別の動作モードは、ワイヤレスネットワーク（例えばネットワーク１１２）および通信モジュール１１０を介してインターネットプロバイダ１１６から提供されるコンテンツ１２０の受信に対応する。
【００１９】
多様な機能を提供するために、電子装置１０２は、種々のデバイスアプリケーション１２６を含むことができる。デバイスアプリケーション１２６の少なくともいくつかは、電子装置１０２の特定の動作モードに関連する機能を提供する。例えば、位置判定モジュール１２２は、別個のものとして図示したが、位置判定モードまたはナビゲーションモードに関連するデバイスアプリケーション１２６と考えることもできる。
【００２０】
さらに、デバイスアプリケーション１２６は、種々の動作モードの各機能と相互作用できるようにするためにディスプレイ装置１３０に出力される、対応するユーザインターフェース１２８（ｘ）を形成するように動作することができる。このように、特定のユーザインターフェース１２８（ｘ）は、対応する動作モードが選択されるか有効となった時に、選択されたか有効となった動作モードに関連する機能とユーザが相互作用できるように出力される。電子装置１０２の複数の動作モードにより提供される様々な機能の詳しい説明を、以下で図２に関して行う。
【００２１】
図２は、図１の電子装置１０２の一実施例２００をより詳しく示す図である。特に、図１の電子装置１０２の一実施例を、位置判定装置２０２として示してある。
【００２２】
図２の実施例の位置判定装置２０２は、種々の処理および記憶能力を提供するために用いることができる各プロセッサ２０４およびメモリ２０６を含むものとしてで示してある。本実施例の位置判定装置２０２は、さらに、位置判定装置２０２の様々な手動操作を判定する機能を代表する方向検出装置２０８を含む。方向検出装置２０８は、方向、動き、速度、衝撃などの検出を含む（これに限定されるものではないが）位置判定装置２０２の様々な手動操作の検出を可能にする信号を提供するよう、様々な方式で構成することができる。例えば、方向検出装置２０８は、加速度計、ジャイロスコープ、速度計、容量性または抵抗性タッチセンサなどの、単体で、または組合わせて用いる様々な要素を代表するものである。自動装置モード切替え技術を実施するための方向検出装置２０８の動作の詳しい説明を、図５〜図６に関して行う。
【００２３】
プロセッサ２０４は、その形成素材や用いる処理機構によって制限されず、従って、半導体および／またはトランジスタ（例えば、電子集積回路（ｉｎｔｅｇｒａｔｅｄ  ｃｉｒｃｕｉｔｓ：ＩＣｓ））などにより実施することができる。さらに、位置判定装置２０２用に単一のメモリ２０６を図示しているが、例えばランダムアクセスメモリ（ｒａｎｄｏｍ  ａｃｃｅｓｓ  ｍｅｍｏｒｙ：ＲＡＭ）、ハードディスクメモリ、リムーバブルメディアメモリ（例えば、メモリ２０６は、取外し可能なメモリカートリッジを受けるスロットにより実施できる）や、その他のコンピュータ読取り可能媒体など、広範囲なメモリの種類および組合せを用いることができる。
【００２４】
図２の実施例において、位置判定モジュール１２２、モードマネージャモジュール１２６、および通信モジュール１１０は、プロセッサ２０４で実行されるものとして図示されており、また、メモリ２０６内に記憶可能である。
【００２５】
メモリ２０６は、デバイスアプリケーション１２６、ＧＰＳ受信機１０４から受信される信号データ１０６、位置判定装置２０２によりローカルで維持管理されるマップデータ２１０、および様々なデバイスアプリケーション１２６により形成・出力されるユーザインターフェース１２８（ｘ）を記憶するものとして示してある。
【００２６】
追加のデバイスアプリケーション１２６は、ブラウザ２１２アプリケーション、電話２１４アプリケーション、およびメディア２１６アプリケーションを含むものとして示してある。これらのアプリケーションの各々が、位置判定装置２０２の動作モードの１つに対応する。ブラウザ２１２は、電子メールサービスを受ける、インスタントメッセージを送受信する、ウェブページを閲覧する、ビデオプログラムやその他のコンテンツ１２０をダウンロードする、など図１のインターネットプロバイダ１１６からのコンテンツ１２０と相互作用するためにプロセッサ２０４上で実行可能な機能を代表するものである。電話２１４アプリケーションは、携帯電話呼の発着信、連絡先の管理、テキストメッセージの作成／送信／受信など、図１の携帯電話プロバイダ１１６からの電話サービス１１８を受けるためにプロセッサ２０４上で実行可能な機能を代表するものである。メディア２１６アプリケーションは、メディアの整理、メディアの再生、メディアの編集など、音楽ファイル、写真、およびビデオを含むメディアコンテンツライブラリを管理するためにプロセッサ２０４上で実行可能な機能を代表するものである。電子装置１０２にさらなる機能を提供するために、その他２１８の種々のアプリケーションを含めることもできる。これらのデバイスアプリケーション１２６は、位置判定モジュール１２２と同様に、種々の独特の機能を別々の時点に利用可能にし、および／または有効にする位置判定装置２０２の種々の動作モードに対応する。例えば、位置判定装置２０２は、ナビゲーションモード、インターネットモード、電話モード、およびメディアモードを有し、その各々が位置判定モジュール１２２、ブラウザ２１２、電話２１４アプリケーション、およびメディア２１６アプリケーションに各々対応する。
【００２７】
その他２１８のアプリケーションは、ゲーム、データベース、生産性スイート、オペレーティングシステム、ドライバ、デスクトップアプリケーション、デバイス専用アプリケーションなどを含む（これに限定されるものではないが）ことができる。その他２１８のアプリケーションはまた、例えばゲームモードおよび／または生産性スイートなどの動作モードに対応する。
【００２８】
動作において、モードマネージャモジュール１２４は、位置判定装置２０２の動作モードを有効化、選択、トグル、および／またはその他の形で管理することができる。例えば、図示した例において、位置判定モジュール１２２をプロセッサ２０４上で実行すると、結果として、図２に示した対応するユーザインターフェース１２８（１）が出力として形成され、位置判定機能が提供される。ユーザインターフェース１２８（１）が有効な時、位置判定装置２０２はナビゲーションモードにあると考えられる。様々な入力に応答して、モードマネージャモジュール１２４は、別のモードへのモード切替えを行い、その結果、別のデバイスアプリケーション１２６が実行され、および／または有効化され、この別のモードに対応する別のユーザインターフェース１２８（ｘ）が出力される。モードマネージャモジュール１２４にモード間の自動切替えをさせる種々の入力が考えられ、以下の図面に関して説明する。
【００２９】
特に、特定の動作モードが有効の時、対応するデバイスアプリケーション１２６を、プロセッサ２０４上でアクティブ状態として実行することができる。アクティブ状態では、デバイスアプリケーション１２６は、位置判定装置２０２の基本的機能を提供する。対応するユーザインターフェース１２８（ｘ）が、ディスプレイ装置１３０のフォアグラウンド部に出力され、例えば、対応するユーザインターフェース１２８（ｘ）が眼に見えるようになる。特定の動作モードが有効でない（例えば、他のモードが有効である）時、対応するデバイスアプリケーション１２６を、プロセッサ２０４上でバックグラウンド状態として実行することができる。バックグラウンド状態にある時、対応するデバイスアプリケーション１２６は、関連する機能を提供する動作を継続する。しかし、対応するユーザインターフェース１２８（ｘ）は閉じられ、有効なインターフェースの後ろに送られ、最小化されるなどして、ディスプレイ装置上で見えないようになる。これに加え、または代替として、動作モードの切替えにより、アクティブな、またはアクティブでない動作モードに対応するデバイスアプリケーション１２６を各々開始または終了するように実行することができる。このように、動作モード切替えは、対応するデバイスアプリケーション１２６の状態をアクティブからバックグラウンドへ自動切替えする工程と、および／または自動的に開始・終了するようにデバイスアプリケーション１２６を実行させる工程とを含む。
【００３０】
例えば、電話モードで開始された電話呼は、例えば、自動音声認識、スピーカーホン、ワイヤレスヘッドセットなど、様々なハンドフリー相互作用によるなどして、ナビゲーションモードが有効な場合、バックグラウンド状態で継続することができる。同様に、ターン・バイ・ターン（ｔｕｒｎ−ｂｙ−ｔｕｒｎ）方式の指示など、ナビゲーションモードで開始された位置判定機能は、着信呼に応えるために電話モードが選択された時には、バックグラウンド状態で継続することができる。このように、基本的機能は、モード切替えし、対応するデバイスアプリケーション１２６をアクティブ状態で実行することにより選択することができ、その一方、非アクティブモードの機能は、バックグラウンド状態で別のデバイスアプリケーション１２６を実行することにより利用可能であり続ける。
【００３１】
本明細書で説明する目的で、位置判定機能は、種々の異なるナビゲーション技術や、１若しくはそれ以上の位置を「知る」ことによりサポートされるその他の技術に関連する。例えば、位置判定機能は、位置情報、タイミング情報、速度情報、およびその他の様々なナビゲーション関連データを提供するために用いることができる。従って、位置判定装置２０２は、広範な機能を実行するよう、様々な方式で構成することができる。例えば、位置判定装置２０２は、図示したような屋外ナビゲーション、車両ナビゲーション、航空ナビゲーション（例えば、飛行機、ヘリコプタ用）、海上ナビゲーション、パーソナル用（例えば、フィットネス関連機器の一部として）などのために構成することができる。従って、位置判定装置２０２は、前述した１若しくはそれ以上の技術を用いて位置を判定する様々な装置を含む。
【００３２】
位置判定モジュール１２２は、例えば、ＧＰＳ受信機１０４経由で受信した信号データ１０６を、メモリ２０６に記憶されたマップデータ２１０と組合わせて用いて、ナビゲーション指示（例えば、入力された目的地までのターン・バイ・ターン方式の指示）を発生したり、現在位置をマップ上に表示するなどのために実行可能である。位置判定装置２０２は、信号データ１０６を受信すると共に、図１の１若しくはそれ以上のネットワークを介する通信など、その他の通信を行うために、１若しくはそれ以上のアンテナを含むことができる。位置判定モジュール１２２はまた、現在速度の判定、到着時刻の計算など、他の位置判定機能を提供するためにも実行可能である。
【００３３】
一実施形態において、位置判定装置２０２は、位置判定装置２０２が異なる各配置および／または方向になっている場合に信号データ１０６を受信するように構成された少なくとも２本のアンテナ２２２を含む。
【００３４】
このような２本のアンテナ２２２を有する位置判定装置２０２の動作モード切替えは、位置判定機能を提供するために異なるアンテナ間で動作を自動的に切替える工程を含む。例えば、本明細書で説明したように方向検出装置２０８により方向の変化が検出されると、これに対応して、異なる方向でＧＰＳ衛星１０８からの信号データを受信する第１および第２のアンテナ間で使用の切替えが行われる。同様に、例えば、本明細書で説明したように取付ブラケットに挿入したり、これから取外すことにより位置判定装置２０２の配置が変化すると、これに対応して、異なる配置でＧＰＳ衛星１０８からの信号データを受信する第１および第２のアンテナ２２２間で使用の切替えが行われる。アンテナ２２２間の切替えが行われると同時に、動作モードがさらに変更される（例えば、ナビゲーションモードから電話モードへ切替え）こともあれば、この点以外は有効モードが同一のままとなる（例えば、動作モード切替えにより、使用するアンテナが変更されるが、ナビゲーションモードが有効であり続ける）こともある。様々なその他の実施例も考えられる。
【００３５】
位置判定装置２０２は、位置判定装置２０２を通して提供される様々な機能と相互作用するための、ユーザからの入力を受けるように構成する。例えば、位置判定装置２０２は、直接のタッチ、間接的タッチ（例えば、電場、熱、またはその他のタッチスクリーンの表面特性）による表面接触、圧力などに応答するタッチスクリーンで構成する。従って、ユーザインターフェース１２８（ｘ）は、様々な機能を実行するタッチスクリーンの選択可能な領域を画定するように構成する。また、ボタン、ダイヤル、マイクロホンなど、様々な入力コントローラ２２０を設けて、さらなる種類のユーザ入力を受けるようにすることができる。方向検出装置２０８は、位置判定装置２０２上での極端なタッピング、位置判定装置２０２の回転、動きなど、他の種類のユーザ操作を認識するための信号を出す。
【００３６】
一般的に、本明細書に記載した機能の全ては、ソフトウェア、ファームウェア、ハードウェア（例：固定論理回路）、手動処理、またはこれらの実施形態の組合せを用いて実施することができる。本明細書で用いた「モジュール」および「機能」の語は、一般的に、ソフトウェア、ファームウェア、ハードウェア、またはその組合せを表わす。例えば、ソフトウェアによる実施形態の場合、モジュールは、図２の位置判定装置２０２と共にプロセッサ２０４などのプロセッサ上で実行された時に指定タスクを実行する実行可能命令を表わす。プログラムコードは、１若しくはそれ以上のコンピュータ読取り可能媒体内に記憶することができ、その一例は、図２の位置判定装置２０２と関連するメモリ２０６である。
【実施例２】
【００３７】
手順の実施例
以下の説明は、前述したシステムおよび装置を用いて実施できる自動装置モード切替え技術を説明するものである。各手順の態様は、ハードウェア、ファームウェア、ソフトウェア、またはその組合せにより実施することができる。手順は、１若しくはそれ以上の装置で実行される動作を指定するブロック一式として図示してあり、必ずしも各ブロックで動作の実行について図示してある順序に制限されない。以下の説明の一部において、図１の環境１００および図２の装置の実施例に言及していることがある。以下に説明した技術の特徴は、プラットフォームに依存しないこと、すなわち、この技術は、種々のプロセッサを有する種々の市販のコンピューティングプラットフォームで実施可能なことである
図３は、電子装置を対応する取付装置に挿入したり、これから取外すことにより、電子装置の動作モードがトグルされる手順３００の一実施例を示す流れ図である。手順３００の説明において、一実施例の位置判定装置２０２を対応する取付装置４０２に挿入したり、これから取外す様子を示す実施例４００を示した図４に言及する。
【００３８】
ここで図４を参照すると、図示した実施例による取付装置４０２は、対応する位置判定装置２０２を固定するよう、様々な方式で構成することができる。例えば、取付装置４０２は、ボート、自動車、航空機などの中で用いる場合、位置判定装置２０２に固定するブラケットとして配設することができる。取付装置４０２は、インターフェース４０４、固定部４０６、および１若しくはそれ以上の支持部４０８を含むように配設する。インターフェース４０４は、位置判定装置２０２を取付装置４０２に挿入した時に位置判定装置２０２を外部電源、アンテナ、ネットワーク接続などにつなぐ様々な電気接点およびコネクタを含むように構成する。一実施形態において、固定部４０６は、取付装置４０２および挿入された位置判定装置２０２をダッシュボード、フロントガラスなどに固定する吸盤部として構成する。固定マウント、ダッシュ内マウント（固定式および取外し可能式の両方）、ビーンバッグマウントなどを含む、その他の種々の固定部４０６も考えられる。同様に、取付装置４０２に挿入された時に位置判定装置２０２を保持および／または配置するのに適した種々の支持部４０８が考えられる。
【００３９】
図３の手順３００に戻ると、装置が装置に対応する取付装置の外側にある時、装置は第１の動作モードで動作する（ブロック３０２）。例えば、図４の上側に配置４１０を図示してあり、ここでは、位置判定装置２０２が取付装置４０２の外側にある、すなわちこれから取外された状態で図示してある。この例において、位置判定装置２０２は第１の動作モードで動作する。特に、本実施例の位置判定装置２０２は図４において、電話モードで動作中として示されており、ここでは、対応するユーザインターフェース１２８（２）が位置判定装置２０２上で有効となっている。第１の動作モード（例えば、電話モード）において、図２の電話２１４アプリケーションは、アクティブ状態のプロセッサ２０４上で実行されてユーザインターフェース１２８（２）を形成および／または出力し、呼の発着信、テキストメッセージ、連絡先の管理など、様々な電話機能を提供する。モードマネージャモジュール１２４は、位置判定装置２０２が取付装置４０２の外側にある時に、電話モードをデフォルトまたは通常の動作モードとして選択および／または設定するように動作可能である。従って、位置判定装置２０２が取付装置４０２の外側にある時には、モードマネージャモジュール１２４は電話２１４アプリケーションを動作させる。これは、既に動作していない場合には電話２１４アプリケーションを実行し、バッグクラウンド状態で動作している場合には電話アプリケーションをアクティブにし、および／または電話２１４アプリケーションに対応するユーザインターフェース１２８（２）を閲覧者にアクティブに表示するようディスプレイ装置１３０上の表示を切替える工程を含む。さらに、電話機能を利用できるようにするインターフェース１２８（２）は、図示したように、デフォルトとして縦方向で表示されるように配置し、これもモードマネージャモジュール１２４で制御する。
【００４０】
装置が取付装置に挿入されたことが検出される（ブロック３０４）。例えば、図４はさらに、位置判定装置２０２を取付装置４０２内に取付ける挿入行為４１２を示している。その結果が配置４１４であり、ここでは、位置判定装置２０２が取付装置４０２に挿入された（例えば、接続された）状態で図示されている。一実施形態において、位置判定装置２０２は、図示したように横方向に取付けるように構成する。位置判定装置２０２は、挿入行為４１２が行われた時、その挿入行為４１２を検出するように様々な方式で構成することができる。例えば、モードマネージャモジュール１２４は、位置判定装置２０２が取付装置４０２のインターフェース４０４部に接続されたことに基づいて、挿入を検出する。位置判定装置２０２とインターフェース４０４との間の電気的接触により、入力信号がモードマネージャモジュール１２４で検出されることになり、すると、モードマネージャモジュールは、応答して、位置判定装置２０２の動作モード選択に関連する様々なアクションを開始する。位置判定装置２０２の挿入・取外しを検出するその他の様々な技術も考えられるが、その例は、挿入時に方向検出装置が発生する信号を用いるもの、衝撃および／または動きを検出するために加速度計を用いるもの、および位置判定装置２０２の挿入・取外時に動作する機械式スイッチを位置判定装置２０２につないで用いるものを含む（これに限定されるものではないが）。
【００４１】
装置のモードは、挿入に応答して、第１の動作モードと第２の動作モードとの間でトグルされる（ブロック３０６）。例えば、モードマネージャモジュール１２４が挿入行為４１２を検出すると、モードマネージャモジュール１２４は、位置判定装置２０２のモードをトグルさせるように動作する。特に、実施例の位置判定装置２０２は、第２の動作モード（例えば、ナビゲーションモード）で動作中として図示されており、ここでは、位置判定機能を提供する、対応するユーザインターフェース１２８（３）が位置判定装置２０２上で有効となっている。第２の動作モード（例えば、ナビゲーションモード）において、図２の位置判定モジュール１２２は、アクティブ状態のプロセッサ２０４上で実行されてユーザインターフェース１２８（３）を形成し、これを出力して、ターン・バイ・ターン方式の指示、速度および距離計算、ルートプランニングなど、様々なナビゲーション機能を提供する。モードマネージャモジュール１２４は、位置判定装置２０２が取付装置４０２内に取付けられている時に、ナビゲーションモードをデフォルトまたは通常の動作モードとして選択および／または設定するように動作可能である。従って、位置判定装置２０２が取付装置４０２内に挿入されている時には、モードマネージャモジュール１２４は位置判定モジュール１２２を動作させる。これは、既に動作していない場合には位置判定モジュール１２２を実行し、バッグクラウンド状態で動作している場合には位置判定モジュール１２２をアクティブにし、および／または位置判定モジュール１２２に対応するユーザインターフェース１２８（３）を閲覧者にアクティブに表示するようディスプレイ装置１３０上の表示を切替える工程を含む。さらに、位置判定機能を利用できるようにするインターフェース１２８（３）は、図示したように、デフォルトとして横方向で表示されるように配置し、これもモードマネージャモジュール１２４で制御する。
【００４２】
第２の動作モードで装置が動作する（ブロック３０８）。例えば、位置判定装置２０２が取付装置４０２内に取付けられている時、ユーザインターフェース１２８（３）は、図４の配置４１４に関して図示したように、ディスプレイ装置上にアクティブに表示される。
【００４３】
従って、モードマネージャモジュール１２４は、位置判定装置２０２の取付装置４０２への接続を監視し、位置判定装置２０２の挿入または取外しが検出された時、例えば、インターフェース４０４に接続されるかこれから外された時に、動作モード間で選択、トグル、またはその他の形で切替えるアクションを行うように構成する。一般的に、動作モード間でトグルまたは選択すると、アクティブモードまたは「基本的」モードを選択したものと考えられる。従って、選択された「基本的」モードにより、どのデバイスアプリケーション１２６が実行され、および／またはフォアグラウンドでアクティブ状態であるか、また、どの対応するユーザインターフェース１２８（ｘ）がディスプレイ装置１３０で表示されているかが決まる。さらに、異なる動作モードに対応するユーザインターフェース１２８（ｘ）は各々、異なる機能（例えば、電話機能や位置判定機能）に関連づけられるため、選択された「基本的」モードにより、所定の時点で利用できる対応する機能が変更される。
【００４４】
どの動作モードを「基本的モード」として選択したかとは無関係に、複数の異なるデバイスアプリケーション１２６が動作し続けることに留意されたい。従って、前述したように、電話モードにおいて、位置判定モジュール１２２はバックグラウンド状態で尚も動作し続け、位置計算、ターン・バイ・ターン方式のナビゲーション提供などを行う。しかし、電話モードにおいては、ユーザインターフェース１２８（２）により直接利用できる基本的機能は電話機能である。同様に、ナビゲーションモードにおいては、電話２１４アプリケーションはバックグラウンド状態で尚も動作し続け、呼の着信、有効な呼の継続などを行う。例えば、ナビゲーションモードにおいて電話２１４アプリケーションは、図示したようにナビゲーションモードで出力されるユーザインターフェース１２８（３）を介して「ハンドフリー」電話機能を提供するように動作する。しかし、ナビゲーションモードにおいては、ユーザインターフェース１２８（３）を介して直接利用できる基本的機能は位置判定機能である。
【００４５】
図４の実施例において、異なる動作モード、すなわち電話モードおよびナビゲーションモードはまた、各々縦方向および横方向で位置判定装置２０２上に表示されるように示されている。このように、所定の時点に位置判定装置２０２上で利用できるアクティブ機能を変更する工程の他、動作モードの変更は、方向を縦方向および横方向に、また、その逆方向に変更する工程を含む。しかし、別の実施例において、動作モードの変更は、装置の方向を変更しなくても行うことができる。例えば、配置４１０および４１４で図示した電話モードおよびナビゲーションモードは各々、縦方向で、あるいは横方向で表示することができる。一実施形態において、位置判定装置２０２上で利用できる１若しくはそれ以上の動作モードと関連づけられた方向は、ユーザにより構成可能とすることができる。
【００４６】
装置が取付装置から取外されたことが検出される（ブロック３１０）。例えば、図４はさらに、取外し行為４１６を示しており、この取外し行為により、位置判定装置２０２が取付装置４０２に取付けられている配置４１４から、位置判定装置２０２が取付装置４０２の外側にある配置４１０に来るように変更される。例えば、ユーザは、電話呼に応える、車両から降りる時に位置判定装置２０２を持っていく、などのために位置判定装置２０２を取外す。モードマネージャモジュール１２４はさらに、取外し行為４１６を検出するように構成する。特に、位置判定装置２０２がインターフェース４０４から取外されたことを、モードマネージャモジュール１２４が検出する。次いで、取外し行為４１６の検出に応答して、モードマネージャモジュール１２４は、位置判定装置２０２の対応する動作モードの選択に関連する様々なアクションを開始する。
【００４７】
装置のモードは、取外しに応答して、第２の動作モードと第１の動作モードとの間でトグルされる（ブロック３１２）。例えば、図４において位置判定装置２０２が取付装置４０２から取外されると、動作モードは配置４１４のようなナビゲーションモードから、配置４１０のような電話モードにトグルされる。すると、位置判定装置２０２は、ブロック３０２のように電話モード（例えば、第１の動作モード）で動作する。
【００４８】
手順３００を、図４に示したようにナビゲーションモードと電話モードとの間でトグルさせることに関して説明したが、当然、メディアモード、ゲームモード、インターネットモードなど、他のモードを配置４１０、４１４と関連づけることもできる。一実施形態において、ユーザは、位置判定装置２０２が挿入された時、および位置判定装置２０２が取外された時にどのモードがアクティブとなるか設定するよう、位置判定装置２０２を構成することができる。ここで説明した動作モード間のトグルまたは切替えは、位置判定装置２０２が取付装置４０２に挿入されたり、これから取外されたことに応答して、ユーザからのさらなる入力なしに行われることに留意されたい。従って、ユーザは、選択可能なボタンを押す、装置上で移動して開閉するアプリケーションを選択する、などの形でモードを積極的に選択する必要がない。
【００４９】
もちろん、ユーザは尚も、外側にある配置４１０または挿入された配置４１４のいずれかにおいて、様々な利用可能なモード（ナビゲーション、電話、インターネットゲーム、メディアなど）の中から手動で選択することができる。しかし、モードマネージャモジュール１２４は、取外し行為４１６が検出された時には配置４１０と関連づけられたデフォルトまたは「基本的」動作モードを自動的に選択し、挿入行為４１２が検出された時には配置４１４と関連づけられたデフォルトまたは「基本的」動作モードを自動的に選択するように構成される。このように、位置判定装置２０２は、種々のモードで動作して種々の機能を提供することができ、位置判定装置２０２が対応する取付装置４０２に挿入されたり、これから取外されたことに応答して特定のモードに自動的に切替えられる。
【００５０】
動作モードの自動切替えまたはトグルは電力管理上の利点にもつながることに留意されたい。例えば、位置、ターン・バイ・ターン方式の指示などの計算のために連続的に用いられるナビゲーションモードは、電話モードまたはその他の動作モードよりも比較的多量の電力を消費する。従って、ナビゲーションモードにおいては、他のモードと比べて電池が速く消耗される。電子装置１０２が対応する取付装置４０２から取外された時に電話モードまたはその他の動作モードに自動的に切替えることにより、電力消費量が相応じて低減し、その結果、電池の寿命が延びる。
【００５１】
図５は、装置の方向の判定に基づいて装置の動作モードを有効にする手順５００の一実施例を示す図である。手順５００の説明において、一実施例の位置判定装置２０２の複数の方向、およびこの複数の方向に関連づけられた対応する動作モードを示す実施例６００を示した図６に言及する。
【００５２】
装置の複数の動作モードが、装置の複数の方向と関連づけられている（ブロック５０２）。例えば、図２の位置判定装置２０２は、様々な動作モードおよび対応するデバイスアプリケーション１２６により、様々な機能を提供するように構成することができる。例えば、位置判定モジュール１２２は、ナビゲーションモードにおいて位置判定機能を提供し、電話２１４アプリケーションは、電話モードにおいて携帯電話機能を提供する。インターネットモード、メディアモード、ゲームモードなど、様々なその他のモードも考えられる。位置判定装置２０２は、位置判定モジュール１２４を介して、異なる「基本的」モードを装置の異なる方向に関連づける。例えば、位置判定装置２０２は、縦方向である時は第１のモードが自動的に選択され、横方向である時は第２のモードが自動的に選択されるように構成する。これに加え、または代替として、モードマネージャモジュール１２４は、異なる動作モードのうちどれを位置判定装置２０２の異なる方向に関連づけるかをユーザで設定できるようにする。
【００５３】
ここで図６を参照すると、異なる動作モードを装置の異なる方向に関連づける様子を示す一実施形態６００を示してある。例えば、図６は、位置判定装置２０２の横方向６０２および縦方向６０４を示している。位置判定装置２０２は、操作行為６０６により、方向６０４、６０４間で置換え可能である。この場合、操作行為６０６は、例えばユーザの手動操作により、位置判定装置２０２を約９０度回転させることに相当する。
【００５４】
さらに、方向６０２、６０４の各々は、異なる各動作モードと関連づけることができる。図６の実施例において、横方向６０２は、主に位置判定機能を提供するナビゲーションモードと関連づけられた状態で示されている。縦方向６０４は、主に携帯電話機能を提供する電話モードと関連づけられた状態で示されている。
【００５５】
装置の第１の方向が検出される（ブロック５０４）。第１の方向である時、第１の方向と関連づけられた第１の動作モードが有効となる（ブロック５０６）。例えば、図６の位置判定装置２０２のユーザは、位置判定装置２０２を操作して横方向６０２にする。図２に関して言及したように、位置判定装置２０２は、モードマネージャモジュール１２４が位置判定装置２０２の方向を検出できるようにする方向検出装置２０８を含む。方向検出装置２０８は方向を示す信号を出し、この信号をモードマネージャモジュール１２４が用いて方向の変化を検出し、現在の方向を判定する。この実施例においては、方向検出装置２０８を介して、モードマネージャモジュール１２４は位置判定装置２０２が横方向６０２であることを認識する。位置判定装置２０２が横方向６０２に操作されたというこの判定に基づいて、モードマネージャモジュール１２４はナビゲーションモードを有効にするように動作する。例えば、ナビゲーションモードに対応する位置判定装置１２２が実行され、および／またはアクティブ状態となるように有効化され、また、位置判定機能を提供するための対応するユーザインターフェース１２８（１）が表示される。
【００５６】
第１の方向から第２の方向への方向の変化が検出される（ブロック５０８）。検出に応答して、第２の方向に対応する第２の動作モードが有効になる（ブロック５１０）。先の実施例で続けると、方向検出装置２０８を介して、モードマネージャモジュール１２４は図６の位置判定装置２０２が縦方向６０４に操作されたことを検出する。従って、モードマネージャモジュール１２４は、電話モードを有効にするよう動作する。電話モードにおいては、電話モードに対応する電話２１４アプリケーションが実行され、および／またはアクティブ状態となるように有効化され、また、携帯電話機能を提供するための対応するユーザインターフェース１２８（２）が表示される。このように、位置判定装置２０２の検出された方向に基づいて、位置判定装置２０２の動作モードを選択、トグルなどの形で切替えることができる。
【００５７】
当然、別の方向を別の動作モードと関連づけることもできる。例えば、図６はさらに、操作行為６１０により到達することできる「上下逆」の横方向６０８を示している。この場合、操作行為６１０は、位置判定装置２０２を縦方向６０４から約９０度回転させることに相当する。当然、「上下逆」の横方向６０８は、横方向６０２から約１８０度回転させることにより到達することもでき、これは、別の操作行為６１２として表わしてある。図６の実施例において、「上下逆」の横方向６０８は、主にインターネット機能を提供するインターネットモードと関連づけられた状態で示されている。
【００５８】
このように、位置判定装置２０２が「上下逆」の横方向６０８に操作された時、モードマネージャモジュール１２４はインターネットモードを有効にするように動作する。従って、インターネットモードに対応するブラウザ２１２アプリケーションが実行され、および／またはアクティブ状態となるように有効化され、また、インターネット機能を提供するための対応するユーザインターフェース１２８（４）が表示される。もちろん、図６の実施例の位置判定装置２０２は、「上下逆」の縦方向（図示せず）に操作することもでき、これを、例えば、様々なメディアコンテンツの再生・管理に関連する機能を主に提供するメディアモードなど、別の動作モードに関連づけることができる。
【００５９】
図６の実施例の位置判定装置２０２は基本的に矩形であることがわかるであろう。しかし、説明した技術を用いた別の装置は、例えば６角形など、別の形状であることも考えられる。この例では、６つの方向、および６つの異なる方向に関連づけられた６つの動作モードがあるかもしれない。様々なその他の実施例も考えられる。従って、可能な方向および動作モードの数は、列挙した矩形の位置判定装置２０２の実施例に限定することを意図していない。
【００６０】
さらに、図５〜図６に関して説明した方向に基づく動作モード切替え技術は、図３〜図４に関して説明した取付けに基づく動作モード切替え技術と組合わせて使用できることに留意されたい。例えば、図３〜４に関して説明したように、装置が取付装置４０２に挿入された時、モードマネージャモジュール１２４はナビゲーションモードを有効にする。次いで、装置が取付装置４０２に接続されている時に方向の変化が検出されると、図５〜６に関して説明したように、対応する動作モードが変更される。同様に、取付装置４０２にから取外された時には、モードマネージャモジュール１２４は電話モードを有効にする。その後は、装置が取付装置４０２の外側にある時に方向の変化が検出されると、対応する動作モードが再度変更される。
【００６１】
結論
自動装置モード切替え技術を構造的特徴および／または方法的行為について具体的な言葉で説明したが、付属の特許請求の範囲は必ずしも説明した具体的な特徴や行為に制限されないことを理解されたい。むしろ、構造的特徴および／または方法的行為は、フライトプラン記入およびアップロードからアビオニクスまで、請求する装置および技術を実施する形の例として開示してある。
【図１】
0005619626.tif 000002
【図２】
0005619626.tif 000003
【図３】
0005619626.tif 000004
【図４】
0005619626.tif 000005
【図５】
0005619626.tif 000006
【図６】
0005619626.tif 000007